(57)【要約】【課題】初期的なフリッカー及び経時的なフリッカー変化の抑制。【解決手段】電気光学装置１において、共通電極電位ＬＣｃｏｍをフリッカーが視認されないレベルに設定することによって初期的なフリッカーを低減し、正極性電圧印加時と負極性電圧印加時の印加時間比を適切な値に設定する。これにより、初期的なフリッカーだけでなく、経時的なフリッカーの変化を抑制することができる。【選択図】図１
2011221218.tif 000002
【特許請求の範囲】
【請求項１】
複数の走査線と複数のデータ線と、前記走査線と前記データ線との交点に設けられたスイッチングトランジスターおよび画素電極と、前記画素電極と共通電極と、前記画素電極と前記共通電極との間の電界により駆動される液晶層とを、備えた液晶装置の調整方法において、
前記画素電極に対して、前記データ線を介して前記共通電極に印加される共通電極電位を基準として高位の電圧を正極性、低位の電圧を負極性としたときに、前記正極性と前記負極性とが交互に現れるデータ信号を供給し、
第１の期間と第２の期間からなる所定の期間において、
前記画素電極に、
前記第１の期間に、前記正極性または前記負極性のうち、いずれか一方の極性の電圧である第１電圧を供給し、
前記第２の期間に、前記第１電圧とは異なる極性の第２電圧を供給して液晶装置を駆動する第１工程と、
前記第１の期間と第２の期間を交互に繰り返すことで生じるフリッカーを測定し、それを記憶する第２工程と、
前記の比率のまま液晶装置を駆動する第３工程と、
所定の時間が経過した際に再び前記フリッカーを測定し、記憶された値との比較を行う第４工程と、
比較結果に基づいて、前記第１の期間の長さと、前記第２の期間の長さとの比率を調整する第５工程を有することを特徴とする液晶装置の調整方法。
【請求項２】
請求項１に記載の液晶装置の調整方法において、
前記第１工程における前記共通電極電位の前記所定の値は、前記第１の期間と前記第２の期間において、前記液晶層に印加される実効電圧が等しくなるように設定されることを特徴とする請求項１記載の液晶装置の調整方法。
【請求項３】
請求項１または２に記載の液晶装置の調整方法において、
前記第２工程から前記第５工程を複数回繰り返す事を特徴とする液晶装置の調整方法。
【請求項４】
複数の走査線と複数のデータ線と、前記走査線と前記データ線との交点に設けられたスイッチングトランジスターおよび画素電極と、前記画素電極と共通電極と、前記画素電極と前記共通電極との間の電界により駆動される液晶層とを、備えた液晶装置の調整方法において、
前記画素電極に対して、前記データ線を介して前記共通電極に印加される共通電極電位を基準として高位の電圧を正極性、低位の電圧を負極性としたときに、前記正極性と前記負極性とが交互に現れるデータ信号を供給し、
第１の期間と第２の期間からなる所定の期間において、
前記第１の期間に、前記正極性または前記負極性のうち、いずれか一方の極性の電圧である第１電圧を供給し、
前記第２の期間に、前記第１電圧とは異なる極性の第２電圧を供給して液晶装置を駆動する第１工程と、
前記第１の期間と前記第２の期間において、前記液晶層へ印加される実効電圧が等しくなるように設定し、前記共通電極電位の設定値を記憶する第２工程と、
前記の比率のまま液晶装置を駆動する第３工程と、
所定の時間が経過した際に再び前記第１の期間と前記第２の期間において、前記液晶層へ印加される実効電圧が等しくなるように共通電極電位を再度設定し、前記記憶された設定値との比較を行う第４工程と、
比較結果に基づいて、前記第１の期間の長さと、前記第２の期間の長さとの比率を調整する第５工程を有することを特徴とする液晶装置の調整方法。
【請求項５】
請求項４に記載の液晶装置の調整方法において、
前記第２工程から前記第５工程を複数回繰り返す事を特徴とする液晶装置の調整方法。
【請求項６】
複数の走査線と複数のデータ線と、前記走査線と前記データ線との交点に設けられたスイッチングトランジスターおよび画素電極と、前記画素電極と共通電極と、前記画素電極と前記共通電極との間の電界により駆動される液晶層とを、備えた液晶装置の調整方法において、
前記画素電極に対して、前記データ線を介して前記共通電極に印加される共通電極電位を基準として高位の電圧を正極性、低位の電圧を負極性としたときに、前記正極性と前記負極性とが交互に現れるデータ信号を供給し、
第１の期間と第２の期間からなる所定の期間において、
前記画素電極に対して、前記データ線を介して前記共通電極に印加される共通電極電位を基準として高位の電圧を正極性、低位の電圧を負極性としたときに、前記正極性と前記負極性とが交互に現れるデータ信号を供給し、
第１の期間と第２の期間からなる所定の期間において、
前記第２の期間に、前記第１電圧とは異なる極性の第２電圧を供給して液晶装置を駆動する第１工程と、
前記第１の期間と前記第２の期間において、前記液晶層へ印加される実効電圧が等しくなるように設定し、前記共通電極電位の値を記憶する第２工程と、
前記比率のまま液晶装置を駆動し、前記液晶層へ印加される実効電圧が等しくなる共通電極電位を測定し、前記記憶された設定値からの変化量を測定する第３工程と、
前記変化量が所定の値に達した際に、達するまでに要した時間を測定する第４工程と、
測定結果に基づいて、前記第１の期間の長さと、前記第２の期間の長さとの比率を調整する第５工程を有することを特徴とする液晶装置の調整方法。
【請求項７】
請求項６に記載の液晶装置の調整方法において、
前記第２工程から前記第５工程を複数回繰り返す事を特徴とする液晶装置の調整方法。
【請求項８】
複数の走査線と複数のデータ線と、前記走査線と前記データ線との交点に設けられたスイッチングトランジスターおよび画素電極と、前記画素電極と共通電極と、前記画素電極と前記共通電極との間の電界により駆動される液晶層とを、備えた液晶装置の調整方法において、
前記画素電極に対して、前記データ線を介して前記共通電極に印加される共通電極電位を基準として高位の電圧を正極性、低位の電圧を負極性としたときに、前記正極性と前記負極性とが交互に現れるデータ信号を供給し、
第１の期間と第２の期間からなる所定の期間において、
前記第１の期間に、前記正極性または前記負極性のうち、いずれか一方の極性の電圧である第１電圧を供給し、
前記第２の期間に、前記第１電圧とは異なる極性の第２電圧を供給して液晶装置を駆動する第１工程と、
前記第１の期間と前記第２の期間において、前記液晶層へ印加される実効電圧が等しくなるように設定し、前記共通電極電位の値を記憶する第２工程と、
前記比率のまま液晶装置を駆動し、前記液晶層へ印加される実効電圧が等しくなる共通電極電位を測定し、前記記憶された設定値からの変化量を測定する第３工程と、
前記変化量が所定の値に達するか、前記変化量が所定の値に達する前に所定の時間が経過した場合には、前記第１の期間と前記第２の期間において、前記液晶層へ印加される実効電圧が等しくなるように共通電極電位を再度設定し、前記記憶された設定値との比較を行う第４工程と、
比較結果に基づいて、前記第１の期間の長さと、前記第２の期間の長さとの比率を調整する第５工程を有することを特徴とする液晶装置の調整方法。
【請求項９】
請求項８に記載の液晶装置の調整方法において、
前記第２工程から前記第５工程までを複数回繰り返す事を特徴とする液晶装置の調整方法。
【請求項１０】
複数の走査線と複数のデータ線と、前記走査線と前記データ線との交点に設けられたスイッチングトランジスターおよび画素電極と、前記画素電極と共通電極と、前記画素電極と前記共通電極との間の電界により駆動される液晶層とを、備えた液晶装置の調整方法において、
前記画素電極に対して、前記データ線を介して前記共通電極に印加される共通電極電位を基準として高位の電圧を正極性、低位の電圧を負極性としたときに、前記正極性と前記負極性とが交互に現れるデータ信号を供給し、
第１の期間と第２の期間からなる所定の期間において、
前記第１の期間に、前記正極性または前記負極性のうち、いずれか一方の極性の電圧である第１電圧を供給し、
前記第２の期間に、前記第１電圧とは異なる極性の第２電圧を供給して液晶装置を駆動する第１工程と、
前記第１の期間と前記第２の期間において、前記液晶層へ印加される実効電圧が等しくなるように設定し、その際のフリッカー値を記憶する第２工程と、
前記比率のまま液晶装置を駆動し、フリッカーを測定する第３工程と、
フリッカーが所定の値に達した際、もしくはフリッカーが所定の値に達する前に所定の時間が経過した場合に、再びフリッカーを測定し、前記記憶された値との比較を行う第４工程と、
比較結果に基づいて、前記第１の期間の長さと、前記第２の期間の長さとの比率を調整する第５工程を有することを特徴とする液晶装置の調整方法。
【請求項１１】
請求項１０に記載の液晶装置の調整方法において、
前記第２工程から第前記５工程を複数回繰り返す事を特徴とする液晶装置の調整方法。
【請求項１２】
請求項３、５、７、９、１１のいずれか一項に記載の液晶装置の調整方法において、
工程を複数回繰り返す際に、前記第１の期間と前記第２の期間の比率が少なくとも１回は他と異なる比率である事を特徴とする液晶装置の調整方法。
【請求項１３】
請求項１２記載の調整方法において、
工程をあらかじめ決められた所定の回数だけ繰り返し、その結果を基に前記第１の期間と前記第２の期間の比率を調整する事を特徴とする液晶装置の調整方法。
【請求項１４】
請求項１または２に記載の液晶装置の調整方法において、
前記第５工程は、あらかじめ、前記第１の期間と前記第２の期間を所定の比率に設定した上で所定の時間液晶装置を駆動した場合のフリッカーの変化量と前記第１の期間と前記第２の期間の設定値をＬＵＴ（Look Up Table）として作成し、これを基に前記所定の比率で所定の時間液晶装置を駆動した場合のフリッカーの変化量から、前記第１の期間と前記第２の期間の比率を調整することを特徴とする液晶装置の調整方法。
【請求項１５】
請求項４に記載の液晶装置の調整方法において、
前記第５工程は、あらかじめ、前記第１の期間と前記第２の期間を所定の比率に設定した上で所定の時間液晶装置を駆動した場合に、前記第１の期間と前記第２の期間において、液晶層へ印加される電圧が等しくなる共通電極電位の変化量と前記第１の期間と前記第２の期間の設定値をＬＵＴ（Look Up Table）として作成し、これを基に前記所定の比率で所定の時間液晶装置を駆動した場合のフリッカーの変化量から、前記第１の期間と前記第２の期間の比率を調整することを特徴とする液晶装置の調整方法。
【請求項１６】
請求項６に記載の液晶装置の調整方法において、
前記第５工程は、あらかじめ、前記第１の期間と前記第２の期間を所定の比率に設定した上で、前記第１の期間と前記第２の期間において、液晶層へ印加される電圧が等しくなる共通電極電位の変化量が所定の値に達するまでに要する時間と前記第１の期間と前記第２の期間の設定値をＬＵＴ（Look Up Table）として作成し、これを基に前記所定の比率で液晶装置を駆動した際の前期変化量が所定の時間に達するまでの所要時間から、前記第１の期間と前記第２の期間の比率を調整することを特徴とする液晶装置の調整方法。
【請求項１７】
請求項８に記載の液晶装置の調整方法において、
前記第５工程は、あらかじめ、前記第１の期間と前記第２の期間を所定の比率に設定した上で所定の時間液晶を駆動した際の、前記第１の期間と前記第２の期間において、液晶層へ印加される電圧が等しくなる共通電極電位の変化量と前記第１の期間と前記第２の期間の設定値をＬＵＴ（Look Up Table）として作成し、また、前記第１の期間と前記第２の期間を所定の比率に設定した上で所定のフリッカー値に達するまでに要する時間と前記第１の期間と前記第２の期間の設定値をＬＵＴ（Look Up Table）として作成し、これを基に前記所定の比率で所定の時間液晶装置を駆動した場合のフリッカーの変化量から、前記第１の期間と前記第２の期間の比率を調整することを特徴とする液晶装置の調整方法。
【請求項１８】
請求項１０に記載の液晶装置の調整方法において、
前記第５工程は、あらかじめ、前記第１の期間と前記第２の期間を所定の比率に設定した上で所定の時間液晶を駆動した際のフリッカーの変化と前記第１の期間と前記第２の期間の設定値をＬＵＴ（Look Up Table）として作成し、また、前記第１の期間と前記第２の期間を所定の比率に設定した上で所定のフリッカー値に達するまでに要する時間と前記第１の期間と前記第２の期間の設定値をＬＵＴ（Look Up Table）として作成し、これを基に前記所定の比率で所定の時間液晶装置を駆動した場合のフリッカーの変化量から、前記第１の期間と前記第２の期間の比率を調整することを特徴とする液晶装置の調整方法。
【請求項１９】
請求項２、１４における第１工程において、前記第１の期間と前記第２の期間において、前記液晶層へ印加される実効電圧を等しくする工程として、共通電極電位を調整する事を特徴とする液晶装置の調整方法。
【請求項２０】
請求項４〜１３、１５〜１８における第２工程において、前記第１の期間と前記第２の期間において、前記液晶層へ印加される実効電圧を等しくする工程として、共通電極電位を調整する事を特徴とする液晶装置の調整方法。
【請求項２１】
前記フリッカーを測定する際もしくは前記第１の期間と前記第２の期間において、前記液晶層へ印加される実効電圧を等しくする際に、前記第１の期間と前記第２の期間の比率をある所定の比率に設定する事を特徴とする請求項１〜２０に記載の液晶装置の調整方法。
【請求項２２】
前記所定の比率は、１：１である事を特徴とする請求項２２に記載の液晶装置の調整方法。
【請求項２３】
複数の走査線と複数のデータ線と、前記走査線と前記データ線との交点に設けられたスイッチングトランジスターおよび画素電極と、前記画素電極と共通電極と、前記画素電極と前記共通電極との間の電界により駆動される液晶層を有する画素とを、備えた液晶装置において、
前記共通電極に印加される共通電極電位を基準として高位の電圧を正極性、低位の電圧を負極性としたときに、前記画素電極に対して、前記データ線を介して前記正極性と前記負極性とが交互に現れるデータ信号を供給するデータ送信手段と、
前記画素を所定のタイミングで撮像する画像取り込み手段と、
時間を計測するカウント手段と、
所定のタイミングで画像取り込み手段により取り込まれた前記画像の輝度情報を解析するフリッカー解析手段と、
前記フリッカー解析手段によって解析されたデータを記憶する記憶手段と、
前記記憶手段に記憶されたデータと現在のデータを比較する比較手段と、
前記正極性または前記負極性のうち、いずれか一方の極性の電圧である第１電圧が前記画素電極に供給される第１の期間と、前記第１電圧とは異なる極性の第２電圧が前記画素電極に供給される第２の期間において、前記所定の期間における前記第１の期間の長さと、前記第２の期間の長さとの比率を調整する印加時間調整手段を有することを特徴とする液晶装置。
【請求項２４】
請求項２３に記載の液晶装置を備えた電子機器。
【発明の詳細な説明】
【技術分野】
【０００１】
本発明は、液晶装置の調整方法、液晶装置およびそれを用いた電子機器に関する。
【背景技術】
【０００２】
液晶表示装置において、直流電圧成分が液晶層に作用すると、液晶の分極などによって電荷バランスの乱れが発生し、フリッカーの発生、表示画像の焼き付き等の現象が現れる。そこで、一般的には、各画素電極の駆動電圧の極性を、例えば画像信号におけるフレーム毎に反転させる反転駆動が行われる。フレーム反転駆動等の面反転駆動は、画像表示領域を構成する全画素電極の駆動電圧の極性を全て同じにして、一定周期で駆動電圧を反転させる方式である。
【０００３】
しかし、ＴＦＴを有するディスプレイでは、ＴＦＴのゲート−ドレイン間およびソース−ドレイン間に、それぞれ、寄生容量が生じる。ＴＦＴのゲート電圧がオフになると、蓄積容量に蓄積された電荷と、画素電極および共通電極からなる画素容量に蓄積された電荷とが、寄生容量を含んで再分配される。このとき、一般的にゲートがオンのときに比べてオフのときのゲート電圧が低位であるため、画素電極の電圧が低下して、液晶に印加される電圧も低下する。これがいわゆるフィールドスルーと呼ばれる現象である。反転駆動においては、このフィールドスルーにより、印加した駆動電圧の極性によって液晶層への印加電圧に非対称性を生じ、直流電圧成分が発生し、駆動電圧の極性によって透過率が変化することとなって、フリッカーが発生し、表示品質が低下する。
【０００４】
そこで、特許文献１の発明は、共通電位を初期的なフリッカーが最小となる電位に設定する事によって、液晶層に印加される電圧を共通電極電位に対して高位である正極性印加時と、共通電極電位に対して低位である負極性で等しくする事によって、印加電圧の非対称性を解消し、画素電極基板と共通電極基板の間の特性差を補償することによって、フリッカーや焼き付を解決するものである。
【先行技術文献】
【特許文献】
【０００５】
【特許文献１】特開２００２−１８９４６０号公報
【発明の概要】
【発明が解決しようとする課題】
【０００６】
しかしながら、液晶層に印加される電圧を正極、負極で等しくしたとしても、液晶層を挟む画素電極基板と共通電極基板の特性差の影響が解消されない場合がある。これは、画素電極基板と共通電極基板は物理的な構造が異なっており、これによって、共通電極電位からみて高位である正極性が印加された場合と、共通電極電位から見て低位である負極性が印加された場合、電極と配向膜、配向膜と液晶層などの海面における抵抗値が正極性印加時と負極性印加時で異なってしまう。このため、正極性、負極性で液晶層への実効電圧は等しいものの、電流量が異なってしまう。これによって電荷の移動量に非対称性を生じる。
【０００７】
この結果、この画素電極基板と共通電極基板における正極性、負極性の電流の非対称性が大きい場合、基板の特性差による液晶層への印加電圧の非対称性を解消するように共通電極電位を設定したとしても、この電流量の非対称性によって、液晶内部の不純物イオンの分布に偏りが生じ、この電荷の偏りによって内部電界が発生する。この内部電界の影響で、実際に液晶に印加される電圧が再び駆動電圧の極性によって非対称となり、直流電圧成分が印加されることになる。これによって、時間とともにフリッカーが増大したり、焼き付きが発生したりすることがある。
【０００８】
そこで、この問題を解決するために、本発明では、液晶層への印加電圧の非対称性を解消するだけでなく、正極、負極の印加時間比を調整する事により、正極、負極での電流量の非対称性を解消し、電荷の移動量のバランスを取ることによってこの時間的なフリッカーの増大や焼き付きの発生を低減できる正極、負極の印加時間の調整方法を提供し、この駆動方法を実現するものである。
【課題を解決するための手段】
【０００９】
本発明に係る液晶装置の調整方法は、複数の走査線と複数のデータ線と、前記走査線と前記データ線との交点に設けられたスイッチングトランジスターおよび画素電極と、前記画素電極と共通電極と、前記画素電極と前記共通電極との間の電界により駆動される液晶層とを、備えた液晶装置の調整方法において、前記画素電極に対して、前記データ線を介して前記共通電極に印加される共通電極電位を基準として高位の電圧を正極性、低位の電圧を負極性としたときに、前記正極性と前記負極性とが交互に現れるデータ信号を供給し、第１の期間と第２の期間からなる所定の期間において、前記画素電極に、前記第１の期間に、前記正極性または前記負極性のうち、いずれか一方の極性の電圧である第１電圧を供給し、前記第２の期間に、前記第１電圧とは異なる極性の第２電圧を供給して液晶装置を駆動する第１工程と、前記第１の期間と第２の期間を交互に繰り返すことで生じるフリッカーを測定し、それを記憶する第２工程と、前記の比率のまま液晶装置を駆動する第３工程と、所定の時間が経過した際に再び前記フリッカーを測定し、記憶された値との比較を行う第４工程と、比較結果に基づいて、前記第１の期間の長さと、前記第２の期間の長さとの比率を調整する第５工程を有することを特徴とする。
これにより、正極性印加時と負極性印加時の電荷の移動量の非対称性が解消され、この結果、経時的な電荷の偏りが生じなくなるため、経時的なフリッカーの変化を抑制する事ができる。
【００１０】
また、上記に記載の液晶装置の調整方法において、前記第１工程における前記共通電極電位の前記所定の値は、前記第１の期間と前記第２の期間において、前記液晶層に印加される実効電圧が等しくなるように設定されることを特徴とする。
これによって、初期的なフリッカーが低減され、より高品位の画質を得る事ができる。
【００１１】
また、上記に記載の液晶装置の調整方法において、前記第２工程から前記第５工程を複数回繰り返す事を特徴とする。
これにより、より精度の高い調整が可能となる。
【００１２】
また、上記に記載の液晶装置の調整方法において、複数の走査線と複数のデータ線と、前記走査線と前記データ線との交点に設けられたスイッチングトランジスターおよび画素電極と、前記画素電極と共通電極と、前記画素電極と前記共通電極との間の電界により駆動される液晶層とを、備えた液晶装置の調整方法において、前記画素電極に対して、前記データ線を介して前記共通電極に印加される共通電極電位を基準として高位の電圧を正極性、低位の電圧を負極性としたときに、前記正極性と前記負極性とが交互に現れるデータ信号を供給し、第１の期間と第２の期間からなる所定の期間において、前記第１の期間に、前記正極性または前記負極性のうち、いずれか一方の極性の電圧である第１電圧を供給し、前記第２の期間に、前記第１電圧とは異なる極性の第２電圧を供給して液晶装置を駆動する第１工程と、前記第１の期間と前記第２の期間において、前記液晶層へ印加される実効電圧が等しくなるように設定し、前記共通電極電位の設定値を記憶する第２工程と、前記の比率のまま液晶装置を駆動する第３工程と、所定の時間が経過した際に再び前記第１の期間と前記第２の期間において、前記液晶層へ印加される実効電圧が等しくなるように共通電極電位を再度設定し、前記記憶された設定値との比較を行う第４工程と、比較結果に基づいて、前記第１の期間の長さと、前記第２の期間の長さとの比率を調整する第５工程を有することを特徴とする。
【００１３】
また、上記に記載の液晶装置の調整方法において、前記第２工程から前記第５工程を複数回繰り返す事を特徴とする。
【００１４】
また、上記に記載の液晶装置の調整方法において、複数の走査線と複数のデータ線と、前記走査線と前記データ線との交点に設けられたスイッチングトランジスターおよび画素電極と、前記画素電極と共通電極と、前記画素電極と前記共通電極との間の電界により駆動される液晶層とを、備えた液晶装置の調整方法において、前記画素電極に対して、前記データ線を介して前記共通電極に印加される共通電極電位を基準として高位の電圧を正極性、低位の電圧を負極性としたときに、前記正極性と前記負極性とが交互に現れるデータ信号を供給し、第１の期間と第２の期間からなる所定の期間において、前記画素電極に対して、前記データ線を介して前記共通電極に印加される共通電極電位を基準として高位の電圧を正極性、低位の電圧を負極性としたときに、前記正極性と前記負極性とが交互に現れるデータ信号を供給し、第１の期間と第２の期間からなる所定の期間において、前記第２の期間に、前記第１電圧とは異なる極性の第２電圧を供給して液晶装置を駆動する第１工程と、前記第１の期間と前記第２の期間において、前記液晶層へ印加される実効電圧が等しくなるように設定し、前記共通電極電位の値を記憶する第２工程と、前記比率のまま液晶装置を駆動し、前記液晶層へ印加される実効電圧が等しくなる共通電極電位を測定し、前記記憶された設定値からの変化量を測定する第３工程と、前記変化量が所定の値に達した際に、達するまでに要した時間を測定する第４工程と、測定結果に基づいて、前記第１の期間の長さと、前記第２の期間の長さとの比率を調整する第５工程を有することを特徴とする。
これにより、より高精度な調整が可能となる。
【００１５】
また、上記に記載の液晶装置の調整方法において、前記第２工程から前記第５工程を複数回繰り返す事を特徴とする。
これにより、さらに高精度な調整が可能となる。
【００１６】
本発明にかかる液晶装置の調整方法は、複数の走査線と複数のデータ線と、前記走査線と前記データ線との交点に設けられたスイッチングトランジスターおよび画素電極と、前記画素電極と共通電極と、前記画素電極と前記共通電極との間の電界により駆動される液晶層とを、備えた液晶装置の調整方法において、前記画素電極に対して、前記データ線を介して前記共通電極に印加される共通電極電位を基準として高位の電圧を正極性、低位の電圧を負極性としたときに、前記正極性と前記負極性とが交互に現れるデータ信号を供給し、第１の期間と第２の期間からなる所定の期間において、前記第１の期間に、前記正極性または前記負極性のうち、いずれか一方の極性の電圧である第１電圧を供給し、前記第２の期間に、前記第１電圧とは異なる極性の第２電圧を供給して液晶装置を駆動する第１工程と、前記第１の期間と前記第２の期間において、前記液晶層へ印加される実効電圧が等しくなるように設定し、前記共通電極電位の値を記憶する第２工程と、前記比率のまま液晶装置を駆動し、前記液晶層へ印加される実効電圧が等しくなる共通電極電位を測定し、前記記憶された設定値からの変化量を測定する第３工程と、前記変化量が所定の値に達するか、前記変化量が所定の値に達する前に所定の時間が経過した場合には、前記第１の期間と前記第２の期間において、前記液晶層へ印加される実効電圧が等しくなるように共通電極電位を再度設定し、前記記憶された設定値との比較を行う第４工程と、比較結果に基づいて、前記第１の期間の長さと、前記第２の期間の長さとの比率を調整する第５工程を有することを特徴とする。
これにより、使用者の目にフリッカーが視認されないまま、より短い時間で前記第１の期間と前記第２の期間の比率の調整を行うことができる。
【００１７】
また、上記に記載の液晶装置の調整方法において、前記第２工程から前記第５工程までを複数回繰り返す事を特徴とする。
【００１８】
また、本発明にかかる液晶装置の調整方法において、複数の走査線と複数のデータ線と、前記走査線と前記データ線との交点に設けられたスイッチングトランジスターおよび画素電極と、前記画素電極と共通電極と、前記画素電極と前記共通電極との間の電界により駆動される液晶層とを、備えた液晶装置の調整方法において、前記画素電極に対して、前記データ線を介して前記共通電極に印加される共通電極電位を基準として高位の電圧を正極性、低位の電圧を負極性としたときに、前記正極性と前記負極性とが交互に現れるデータ信号を供給し、第１の期間と第２の期間からなる所定の期間において、前記第１の期間に、前記正極性または前記負極性のうち、いずれか一方の極性の電圧である第１電圧を供給し、前記第２の期間に、前記第１電圧とは異なる極性の第２電圧を供給して液晶装置を駆動する第１工程と、前記第１の期間と前記第２の期間において、前記液晶層へ印加される実効電圧が等しくなるように設定し、その際のフリッカー値を記憶する第２工程と、前記比率のまま液晶装置を駆動し、フリッカーを測定する第３工程と、フリッカーが所定の値に達した際、もしくはフリッカーが所定の値に達する前に所定の時間が経過した場合に、再びフリッカーを測定し、前記記憶された値との比較を行う第４工程と、比較結果に基づいて、前記第１の期間の長さと、前記第２の期間の長さとの比率を調整する第５工程を有することを特徴とする。
【００１９】
また、上記に記載の液晶装置の調整方法において、前記第２工程から第前記５工程を複数回繰り返す事を特徴とする。
【００２０】
また、上記に記載の液晶装置の調整方法において、工程を複数回繰り返す際に、前記第１の期間と前記第２の期間の比率が少なくとも１回は他と異なる比率である事を特徴とする。
これによって、複数の異なる比率での結果を基に前記第１の期間と前記第２の期間の比率を調整するため、より精度の高い調整が可能となる。
【００２１】
また、上記に記載の液晶装置の調整方法において、工程をあらかじめ決められた所定の回数だけ繰り返し、その結果を基に前記第１の期間と前記第２の期間の比率を調整する事を特徴とする。
また、上記に記載の液晶装置の調整方法において、前記第５工程は、あらかじめ、前記第１の期間と前記第２の期間を所定の比率に設定した上で所定の時間液晶装置を駆動した場合のフリッカーの変化量と前記第１の期間と前記第２の期間の設定値をＬＵＴ（Look Up Table）として作成し、これを基に前記所定の比率で所定の時間液晶装置を駆動した場合のフリッカーの変化量から、前記第１の期間と前記第２の期間の比率を調整することを特徴とする。
【００２２】
また、上記に記載の液晶装置の調整方法において、前記第５工程は、あらかじめ、前記第１の期間と前記第２の期間を所定の比率に設定した上で所定の時間液晶装置を駆動した場合に、前記第１の期間と前記第２の期間において、液晶層へ印加される電圧が等しくなる共通電極電位の変化量と前記第１の期間と前記第２の期間の設定値をＬＵＴ（Look Up Table）として作成し、これを基に前記所定の比率で所定の時間液晶装置を駆動した場合のフリッカーの変化量から、前記第１の期間と前記第２の期間の比率を調整することを特徴とする。
【００２３】
また、上記に記載の液晶装置の調整方法において、前記第５工程は、あらかじめ、前記第１の期間と前記第２の期間を所定の比率に設定した上で、前記第１の期間と前記第２の期間において、液晶層へ印加される電圧が等しくなる共通電極電位の変化量が所定の値に達するまでに要する時間と前記第１の期間と前記第２の期間の設定値をＬＵＴ（Look Up Table）として作成し、これを基に前記所定の比率で液晶装置を駆動した際の前期変化量が所定の時間に達するまでの所要時間から、前記第１の期間と前記第２の期間の比率を調整することを特徴とする。
【００２４】
また、上記に記載の液晶装置の調整方法において、前記第５工程は、あらかじめ、前記第１の期間と前記第２の期間を所定の比率に設定した上で所定の時間液晶を駆動した際の、前記第１の期間と前記第２の期間において、液晶層へ印加される電圧が等しくなる共通電極電位の変化量と前記第１の期間と前記第２の期間の設定値をＬＵＴ（Look Up Table）として作成し、また、前記第１の期間と前記第２の期間を所定の比率に設定した上で所定のフリッカー値に達するまでに要する時間と前記第１の期間と前記第２の期間の設定値をＬＵＴ（Look Up Table）として作成し、これを基に前記所定の比率で所定の時間液晶装置を駆動した場合のフリッカーの変化量から、前記第１の期間と前記第２の期間の比率を調整することを特徴とする。
【００２５】
また、上記に記載の液晶装置の調整方法において、前記第５工程は、あらかじめ、前記第１の期間と前記第２の期間を所定の比率に設定した上で所定の時間液晶を駆動した際のフリッカーの変化と前記第１の期間と前記第２の期間の設定値をＬＵＴ（Look Up Table）として作成し、また、前記第１の期間と前記第２の期間を所定の比率に設定した上で所定のフリッカー値に達するまでに要する時間と前記第１の期間と前記第２の期間の設定値をＬＵＴ（Look Up Table）として作成し、これを基に前記所定の比率で所定の時間液晶装置を駆動した場合のフリッカーの変化量から、前記第１の期間と前記第２の期間の比率を調整することを特徴とする。
【００２６】
また、上記に記載の液晶装置の調整方法における第１工程において、前記第１の期間と前記第２の期間において、前記液晶層へ印加される実効電圧を等しくする工程として、共通電極電位を調整する事を特徴とする。
【００２７】
また、上記に記載の液晶装置の調整方法における第２工程において、前記第１の期間と前記第２の期間において、前記液晶層へ印加される実効電圧を等しくする工程として、共通電極電位を調整する事を特徴とする。
【００２８】
また、上記に記載の液晶装置の調整方法において、前記フリッカーを測定する際もしくは前記第１の期間と前記第２の期間において、前記液晶層へ印加される実効電圧を等しくする際に、前記第１の期間と前記第2の期間の比率をある所定の比率に設定する事を特徴とする。
【００２９】
また、上記に記載の液晶装置の調整方法において、前記所定の比率は、１：１である事を特徴とする。
【００３０】
また、本発明にかかる液晶装置は、複数の走査線と複数のデータ線と、前記走査線と前記データ線との交点に設けられたスイッチングトランジスターおよび画素電極と、前記画素電極と共通電極と、前記画素電極と前記共通電極との間の電界により駆動される液晶層を有する画素とを、備えた液晶装置において、前記共通電極に印加される共通電極電位を基準として高位の電圧を正極性、低位の電圧を負極性としたときに、前記画素電極に対して、前記データ線を介して前記正極性と前記負極性とが交互に現れるデータ信号を供給するデータ送信手段と、前記画素を所定のタイミングで撮像する画像取り込み手段と、時間を計測するカウント手段と、所定のタイミングで画像取り込み手段により取り込まれた前記画像の輝度情報を解析するフリッカー解析手段と、前記フリッカー解析手段によって解析されたデータを記憶する記憶手段と、前記記憶手段に記憶されたデータと現在のデータを比較する比較手段と、前記正極性または前記負極性のうち、いずれか一方の極性の電圧である第１電圧が前記画素電極に供給される第１の期間と、前記第１電圧とは異なる極性の第２電圧が前記画素電極に供給される第２の期間において、前記所定の期間における前記第１の期間の長さと、前記第２の期間の長さとの比率を調整する印加時間調整手段を有することを特徴とする。
この調整装置により、自動での調整が可能となる。
【００３１】
また本発明にかかる電子機器は上記に記載の液晶装置を備えたものであることを特徴とする。
これにより、電子機器が製品として実際に使用される中での劣化等により最適値が変化し、フリッカーが発生したとしても、使用者の操作によって再び最適値に設定する事が可能となる。また、使用時に常にフリッカー値をモニターし、フリッカー値が規定値を超えたら自動的に調整を行って、使用者に常にフリッカーが視認されない状態に維持するといった事も可能である。
【図面の簡単な説明】
【００３２】
【図１】実施形態に係る電気光学装置を用いたプロジェクターの構成を示す図である。
【図２】実施形態に係る表示パネルの概略構成図である。
【図３】画素の等価回路図である。
【図４】レジスターＢの値が「０」のときの操作信号系のタイミングチャートを示す図である。
【図５】データ信号系の第１フィールドにおけるタイミングチャートを示す図である。
【図６】データ信号系の第２フィールドにおけるタイミングチャートを示す図である。
【図７】レジスターＢの値が「０」の場合における、各行の書込状態を連続するフレームに渡る時間経過とともに示した図である。
【図８】光センサーの回路図である。
【図９】データ解析部の概略構成図である。
【図１０】レジスターＢの値が「＋１」のときの走査信号系のタイミングチャートを示す図である。
【図１１】レジスターＢの値が「＋１」である場合において、各行の書込状態を連続するフレームに渡る時間経過とともに示した図である。
【図１２】レジスターＢの値が「−１」のときの走査信号系のタイミングチャートを示す図である。
【図１３】レジスターＢの値が「−１」である場合において、各行の書込状態を連続するフレームに渡る時間経過とともに示した図である。
【図１４】フリッカーが最小となる電圧ＬＣｃｏｍと正極性と負極性の印加時間比の関係を示すグラフである。
【図１５】実施例１に係るフローチャートを示す図である。
【図１６】液晶層に印加される正極性及び負極性の期間とフリッカー量の関係を示した図である。
【図１７】実施例２に係るフローチャートを示す図である。
【図１８】実施例２，３，４，５，６，７に係るフローチャートを示す図である。
【図１９】実施例２の応用例を示したフローチャートを示す図である。
【図２０】実施例３に係るフローチャートを示す図である。
【図２１】実施例４に係るフローチャートを示す図である。
【図２２】実施例５に係るフローチャートを示す図である。
【図２３】実施例６に係るフローチャートを示す図である。
【図２４】実施例７に係るフローチャートを示す図である。
【図２５】実施例７に係るＬＵＴの概念図を示す図である。
【図２６】実施例７に係るＬＵＴの具体例を示す図である。
【図２７】実施例８に係る電気光学装置を用いたプロジェクターの構成を示す図である。
【図２８】本実施例で示した以外の所定の時間及び前記第１の期間、第２の期間の定義の一例である。
【発明を実施するための形態】
【００３３】
(実施形態）
まず、本発明における構成を、電気光学装置を例にとって説明する。本実施形態のブロック図を図１に示す。
【００３４】
この図１に示されるように、電気光学装置１は、表示パネル１０と処理回路５０と光センサー７０とデータ解析部７２とに大別される。このうち、処理回路５０は、制御回路５２、表示データ処理回路５４、および、Ｄ／Ａ変換回路５６を含み、表示パネル１０の動作等を制御する回路モジュールであって、表示パネル１０とは、例えばＦＰＣ（flexible printed circuit）基板によって接続される。
【００３５】
制御回路５２は、電子機器から供給される同期信号Ｖｓｙｎｃに同期して表示パネル１０を制御するための各種の制御信号を生成する。なお、これらの制御信号については適宜後述するものとする。また、制御回路５２は、各種の制御信号を生成するとともに、表示データ処理回路５４を制御する。
【００３６】
光センサー７０は、表示パネル１０によって表示された画像からフリッカー成分を検出する輝度センサーであり、その出力信号Ｖｐｄをデータ解析部７２に供給する。データ解析部７２は、光センサー７０から供給された出力信号を元に、出力信号Ｖｐｄの値をＡ／Ｄ変換部によってデジタルデータに変換し、ＦＦＴ（Fast Fourier Transform）演算を行うことによって表示パネル１０によって表示された画像のフリッカー量を検出するものである。このデータ解析部７２によって解析されたデーは制御回路５２に供給され、制御回路５２はこの結果を一旦内部メモリー（図示省略）に記憶した後、前回の値との比較結果を元に前記第１の時間と前記第２の時間の比率や共通電極電位ＬＣｃｏｍを調整する。
【００３７】
表示データ処理回路５４は、外部上位装置から供給される表示データＶｉｄｅｏを、制御回路５２による制御にしたがって、一旦内部メモリー（図示省略）に記憶した後、表示パネル１０の駆動に同期して読み出すものである。
【００３８】
なお、表示データＶｉｄｅｏは、表示パネル１０における画素の階調を指定するデータであり、特に波形については図示しないが、周期１６．７ミリ秒（周波数６０Ｈｚ）で１フレーム分（表示パネル１０の全画素分）を供給する。また、Ｄ／Ａ変換回路５６は、読み出された表示データを、アナログのデータ信号Ｖｉｄに変換するものである。
【００３９】
次に、表示パネル１０について説明する。図２は、表示パネル１０の構成を示す図である。
この図に示されるように、表示パネル１０は、表示領域１００の周辺に走査線駆動回路１３０およびデータ線駆動回路１４０を内蔵した周辺回路内蔵型となっている。表示領域１００では、４８０行の走査線１１２が行（Ｘ）方向に延在するように設けられ、また、６４０列のデータ線１１４が列（Ｙ）方向に延在するように、かつ、各走査線１１２と互いに電気的に絶縁を保つように設けられ、さらに、４８０行の走査線１１２と６４０列のデータ線１１４との交差に対応して、画素１１０がそれぞれ配列している。したがって、本実施形態では、表示領域１００において画素１１０が縦４８０行×横６４０列でマトリクス状に配列することになるが、本発明をこの配列に限定する趣旨ではない。
【００４０】
画素１１０の構成について図３を参照して説明する。図３は、ｉ行及びこれと１行下で隣接する（ｉ＋１）行と、ｊ列及びこれと１列右で隣接する（ｊ＋１）列との交差に対応する２×２の計４画素分の構成を示している。なお、ｉ、（ｉ＋１）は、画素１１０が配列する行を一般的に示す場合の記号であって、この説明では、１以上４８０以下の整数である。また、ｊ、（ｊ＋１）は、画素１１０が配列する列を一般的に示す場合の記号であって、１以上６４０以下の整数である。
【００４１】
図３に示されるように、各画素１１０は、ｎチャネル型のＴＦＴ１１６と液晶容量１２０とを含む。
ここで、各画素１１０については互いに同一構成なので、ｉ行ｊ列に位置する画素で代表させて説明すると、当該ｉ行ｊ列の画素１１０におけるＴＦＴ１１６のゲート電極はｉ行目の走査線１１２に接続される一方、そのソース電極はｊ列目のデータ線１１４に接続され、そのドレイン電極は液晶容量１２０の一端である画素電極１１８に接続されている。また、液晶容量１２０の他端は、共通電極１０８に接続されている。この共通電極１０８は、全ての画素１１０にわたって共通であって、時間的に一定の電圧ＬＣｃｏｍが印加されている。
【００４２】
この表示パネル１０は、特に図示しないが、素子基板と共通基板との一対の基板が一定の間隙を保って貼り合わせられるとともに、この間隙に液晶が封止された液晶層を有する構成となっている。このうち、素子基板には、走査線１１２や、データ線１１４、ＴＦＴ１１６および画素電極１１８が走査線駆動回路１３０やデータ線駆動回路１４０とともに形成される一方、共通基板に共通電極１０８が形成されて、これらの電極形成面が互いに共通するように一定の間隙を保って貼り合わせられている。このため、本実施形態において液晶容量１２０は、画素電極１１８と共通電極１０８とが液晶１０５を挟持することによって構成されることになる。
【００４３】
なお、本実施形態では、液晶容量１２０において保持される電圧実効値がゼロに近ければ、液晶容量を通過する光の透過率が最大となって白色表示になる一方、電圧実効値が大きくなるにつれて透過する光量が減少して、ついには透過率が最小の黒色表示になるノーマリーホワイトモードに設定されている。
【００４４】
この構成において、走査線１１２に選択電圧を印加し、ＴＦＴ１１６をオン（導通）させるとともに、画素電極１１８に、データ線１１４およびオン状態のＴＦＴ１１６を介して、階調（明るさ）に応じた電圧のデータ信号を供給すると、選択電圧を印加した走査線１１２とデータ信号を供給したデータ線１１４との交差に対応する液晶容量１２０に、階調に応じた電圧実効値を保持させることができる。
【００４５】
したがって、液晶容量１２０を透過する光は、画素毎に異ならせることが可能であり、これにより、表示領域１００において画像が形成される。なお、形成された画像は、ユーザーに直視され、または、後述するプロジェクターのように拡大投射されて視認される。いずれにしても、この形成された画像が光センサー７０によって撮像されることになる。
【００４６】
なお、走査線１１２が非選択電圧になると、ＴＦＴ１１６がオフ（非導通）状態となるが、このときのオフ抵抗が理想的に無限大とはならないので、液晶容量１２０に蓄積された電荷が少なからずリークする。このオフリークの影響を少なくするために、蓄積容量１０９が画素毎に形成されている。この蓄積容量１０９の一端は、画素電極１１８（ＴＦＴ１１６のドレイン）に接続される一方、その他端は、全画素にわたって容量線１０７に共通接続されている。この容量線１０７は、時間的に一定の電位、例えば共通電極１０８と同じ電圧ＬＣｃｏｍに保たれている。
【００４７】
走査線駆動回路１３０は、走査信号Ｇ１、Ｇ２、Ｇ３、…、Ｇ４８０を、それぞれ１、２、３、…、４８０行目の走査線１１２に供給するものである。ここで、走査線駆動回路１３０は、選択した走査線への走査信号を電圧Ｖｄｄに相当するＨレベルとし、それ以外の走査線への走査信号を非選択電圧（接地電位Ｇｎｄ）に相当するＬレベルとする。
【００４８】
図４は、走査線駆動回路１３０により出力される走査信号Ｇ１〜Ｇ４８０を、スタートパルスＤｙａ、Ｄｙｂとクロック信号Ｃｌｙとの関係において示すタイミングチャートである。
この図に示されるように、１フレームの期間において走査線１１２は、それぞれ２回選択される。ここで、フレームとは、１枚の画像を表示パネル１０に表示させるのに要する期間をいうが、表示データＶｉｄｅｏは、上述したように周期１６．７ミリ秒で供給されるので、１フレームとは、この周期の１６．７ミリ秒と一致する。
【００４９】
制御回路５２は、デューティー比が５０％のクロック信号Ｃｌｙを、１フレームの期間にわたって走査線数に等しい４８０周期分出力する。なお、クロック信号Ｃｌｙの１周期分の期間をＨと表記している。
【００５０】
また、制御回路５２は、クロック信号Ｃｌｙの１周期分のパルス幅を有するスタートパルスＤｙａ、Ｄｙｂを、それぞれクロック信号ＣｌｙがＨレベルの立ち上がり時において、それぞれ次のように出力する。すなわち、制御回路５２は、スタートパルスＤｙａを１フレームの期間の最初（すなわち第１フィールドの最初）に出力する一方、スタートパルスＤｙｂを、スタートパルスＤｙｂを出力してからクロック信号Ｃｌｙの２４０周期分を出力した（すなわち、１フレームの半分期間が経過した）タイミングＴで出力する。ただし、制御回路５２は、光センサー７０の出力結果に応じてスタートパルスＤｙｂを、後述するように、タイミングＴに対し、クロック信号Ｃｌｙの周期を単位とした分だけ時間的に前方側または後方側に出力する場合がある。
【００５１】
なお、１フレームの期間のうち、スタートパルスＤｙａが出力されてからスタートパルスＤｙｂが出力されるまでの期間を第１フィールドとし、スタートパルスＤｙｂが出力されてから次のスタートパルスＤｙａが出力されるまでの期間を第２フィールドとしている。
【００５２】
ここで、スタートパルスＤｙａ、Ｄｙｂは交互に出力され、このうち、スタートパルスＤｙａは、１フレームの開始タイミング、すなわち１６．７ミリ秒毎に出力される。このため、スタートパルスＤｙａを特定すると、必然的にスタートパルスＤｙｂも特定できるので、図１、図２等においては、特に両者を区別することなく、スタートパルスＤｙとして表記している場合がある。
【００５３】
走査線駆動回路１３０は、このようなスタートパルスＤｙａ、Ｄｙｂおよびクロック信号Ｃｌｙから、図４に示される走査信号Ｇ１〜Ｇ４８０を出力する。すなわち、走査線駆動回路１３０は、走査信号Ｇ１〜Ｇ４８０について、スタートパルスＤｙａが供給されると、クロック信号ＣｌｙがＬレベルの期間において順次Ｈレベルとさせる一方、スタートパルスＤｙｂが供給されると、クロック信号ＣｌｙがＨレベルの期間において順次Ｈレベルとさせる。
【００５４】
このため、スタートパルスＤｙａの供給によって走査線は、あるフレームの第１から第２フィールドまでにわたって画面下方向にむかって１、２、３、４、…、４８０行目の順番で、クロック信号Ｃｌｙの半周期の期間をおいて選択される一方、スタートパルスＤｙｂの供給によって走査線は、あるフレームの第２フィールドから次フレームの第１フィールドまでにわたって画面下方向にむかって１、２、３、４、…、４８０行目の順番で、スタートパルスＤｙａの供給を契機とする選択の合間にて選択されることになる。
【００５５】
データ線駆動回路１４０は、サンプリング信号出力回路１４２と、各データ線１１４にそれぞれ対応して設けられたｎチャネル型のＴＦＴ１４６とによって構成される。サンプリング信号出力回路１４２は、制御回路５２による制御信号Ｃｔｒｌ−ｘにしたがって図５または図６に示されるように、いずれかの走査線１１２が選択され当該走査線に供給される走査信号がＨレベルとなる期間に、順次排他的にＨレベルとなるサンプリング信号Ｓ１、Ｓ２、Ｓ３、…、Ｓ６４０を、データ線１１４の各々に対応するように出力するものである。なお、制御信号Ｃｔｒｌ−ｘとは、実際にはスタートパルスやクロック信号であるが、本発明では直接関係しないので、説明を省略している。また、走査信号がＨレベルとなる期間は、実際には図５または図６に示されるように、クロック信号Ｃｌｙの半分周期の期間よりも若干狭められている。
【００５６】
ところで、図１におけるＤ／Ａ変換回路５６は、走査線駆動回路１３０により選択された走査線１１２に位置する画素１行分の表示データＶｉｄｅｏを、サンプリング信号出力回路１４２によるサンプリング信号Ｓ１〜Ｓ６４０の出力に合わせて次のような極性のデータ信号Ｖｉｄに変換する。
すなわち、Ｄ／Ａ変換回路５６は、クロック信号ＣｌｙがＬレベルのときに選択された行に位置する画素の表示データＶｉｄについては正極性に、クロック信号ＣｌｙがＨレベルのときに選択された行に位置する画素の表示データＶｉｄについては負極性に、それぞれ変換する。換言すれば、Ｄ／Ａ変換回路５６は、スタートパルスＤｙａの供給を契機として選択された行に位置する画素の表示データＶｉｄについては正極性に、スタートパルスＤｙｂの供給を契機として選択された行に位置する画素の表示データＶｉｄについては負極性に、それぞれ変換する。
【００５７】
なお、正極性とは、共通電極１０８への印加電圧ＬＣｃｏｍよりも高位側に設定された基準電圧Ｖｃ（図５参照）に対して高位側の電圧をいい、負極性とは、基準電圧Ｖｃに対して低位側の電圧をいう。また、本実施形態においてデータ信号の極性については、電圧Ｖｃを基準とするが、電圧については、特に説明のない限り、論理レベルのＬレベルに相当する接地電位Ｇｎｄを、電圧ゼロの基準としている。
【００５８】
次に、電気光学装置の動作について説明する。
まず、制御回路５２は、外部上位装置から供給される表示データＶｉｄｅｏを、表示データ処理回路５４の内部メモリーに記憶させた後、表示パネル１０においてある行の走査線を選択するとき、当該行の表示データを記憶速度の倍の速度で読み出すとともに、表示データの読み出しに合わせて、サンプリング信号Ｓ１〜Ｓ６４０が順番にＨレベルとなるように、制御信号Ｃｔｒｌ−ｘを介してサンプリング信号出力回路１４２を制御する。なお、読み出された表示データは、Ｄ／Ａ変換回路５６によって、アナログのデータ信号Ｖｉｄに変換される。
【００５９】
ここで、制御回路５２は、タイミングＴにおいてスタートパルスＤｙｂを供給する場合、第１フィールドにおいて、走査線１１２が２４１、１、２４２、２、２４３、３、…、４８０、２４０行目という順番で選択される。このため、制御回路５２は、はじめに２４１行目の走査線１１２が選択されるように、走査線駆動回路１３０を制御する一方、表示データ処理回路５４に対し、メモリーに記憶された２４１行目に相当する表示データＶｉｄｅｏを倍速で読み出させ、Ｄ／Ａ変換回路５６に対し、負極性のデータ信号Ｖｉｄに変換するように制御するとともに、この読み出しに合わせて、サンプリング信号Ｓ１〜Ｓ６４０がこの順番で排他的にＨレベルとなるようにサンプリング信号出力回路１４２を制御する。サンプリング信号Ｓ１〜Ｓ６４０が順番にＨレベルになると、ＴＦＴ１４６が順番にオンして画像信号線１７１に供給されたデータ信号Ｖｉｄが１〜６４０列目のデータ線１１４に順番にサンプリングされる。
【００６０】
一方、２４１行目の走査線１１２が選択されて走査信号Ｇ２４１がＨレベルになると、２４１行目に位置する画素１１０におけるＴＦＴ１１６がすべてオンする。このため、データ線１１４にサンプリングされたデータ信号Ｖｉｄの負極性電圧がそのまま画素電極１１８に印加される。このため、２４１行目であって１、２、３、４、…、６３９、６４０列の画素における液晶容量１２０には、表示データＶｉｄｅｏで指定された階調に応じた負極性電圧が書き込まれて、保持されることになる。
【００６１】
次に、制御回路５２は、１行目の走査線１１２が選択されるように、走査線駆動回路１３０を制御する一方、表示データ処理回路５４に対し、メモリーに記憶された１行目に相当する表示データＶｉｄｅｏを倍速で読み出させ、Ｄ／Ａ変換回路５６に対し、正極性のデータ信号Ｖｉｄに変換するように制御するとともに、この読み出しに合わせて、サンプリング信号Ｓ１〜Ｓ６４０がこの順番で排他的にＨレベルとなるようにサンプリング信号出力回路１４２を制御する。
【００６２】
１行目の走査線１１２が選択されて走査信号Ｇ１がＨレベルになると、１行目に位置する画素１１０におけるＴＦＴ１１６がすべてオンし、これにより、データ線１１４にサンプリングされたデータ信号Ｖｉｄの電圧が画素電極１１８に印加される。このため、１行目であって１〜６４０列の画素における液晶容量１２０には、表示データＶｉｄｅｏで指定された階調に応じた正極性の電圧が書き込まれて、保持されることになる。
【００６３】
以下、第１フィールドにおいては、同様な電圧書込の動作が、２４２、２、２４３、３、…、４８０、２４０行目という順番で実行される。これにより、１〜２４０行目の画素に対しては階調に応じた正極性電圧が書き込まれ、２４１〜４８０行目の画素に対しては階調に応じた負極性電圧が書き込まれて、それぞれ保持されることになる。
【００６４】
なお、タイミングＴにおいてスタートパルスＤｙｂが供給される場合であれば、第２フィールドにおいて、走査線１１２が１、２４１、２、２４２、３、２４３、４、２４４、…、２４０、４８０行目という順番で選択されるともに、同一行における書込極性が反転される。このため、１〜２４０行目の画素に対しては階調に応じた負極性電圧が書き込まれ、２４１〜４８０行目の画素に対しては階調に応じた正極性電圧が書き込まれて、それぞれ保持されることになる。
【００６５】
図５は、第１フィールドにおける（ｉ＋２４０）行目の走査線とｉ行目の走査線とが選択される期間におけるデータ信号Ｖｉｄの電圧波形の一例を示す図である。
この図において、電圧Ｖｂ（＋）、Ｖｂ（−）は、それぞれ最低階調の黒色に相当する正極性、負極性電圧であり、基準電圧Ｖｃを中心に対称の関係にある。表示データＶｉｄｅｏで指定される階調値の十進値が「０」のときに最低階調の黒色を指定し、以後当該十進値が大きくなるにつれて明るい階調を指定する場合、本実施形態はノーマリーホワイトモードであるから、データ信号Ｖｉｄの電圧は、正極性に変換する場合であれば、階調値が大きくなるにつれて電圧Ｖｂ（＋）から低位側に振られた電圧となり、負極性に変換する場合であれば、電圧Ｖｂ（−）から高位側に振られた電圧となる。
【００６６】
第１フィールドでは、ｉ行目よりも先に（ｉ＋２４０）行目の走査線が選択されるので、走査信号（i＋２４０）がＨレベルになる期間のうち、例えばサンプリング信号Ｓ１がＨレベルになる期間に、データ信号Ｖｉｄは、ｉ行１列の画素の階調に応じた負極性電圧となり、以降、サンプリング信号の変化に合わせて、２、３、４、…、６４０列目の画素の階調に応じた負極性電圧に変化する。
【００６７】
続いて選択されるｉ行目では、正極性書込が指定されるので、走査信号ＧiがＨレベルになる期間のうち、例えばサンプリング信号Ｓ１がＨレベルになる期間に、データ信号Ｖｉｄは、ｉ行１列の画素の階調に応じた正極性電圧となり、以降、サンプリング信号の変化に合わせて、２、３、４、…、６４０列の画素の階調に応じた正極性電圧に変化する。
【００６８】
なお、第２フィールドでは、ｉ行目よりも後に（ｉ＋２４０）行目の走査線が選択されるので、走査信号Ｇiが先にＨレベルになるとともに、書込極性が反転するので、データ信号Ｖｉｄの電圧波形は図６に示される通りとなる。
【００６９】
図５および図６においてデータ信号Ｖｉｄの電圧を示す縦スケールは、便宜的に他の信号における縦スケールよりも拡大してある。また、サンプリング信号Ｓ６４０がＬレベルに変化してからサンプリング信号Ｓ１がＨレベルに変化するまでの期間にわたって黒色に相当する電圧となっているが、その理由は、タイミングずれなどの理由により誤って画素に書き込まれても、表示に寄与させないためである。
【００７０】
図７は、スタートパルスＤｙｂがタイミングＴで供給される場合において、各行の書込状態を連続するフレームにわたった時間経過とともに示す図である。この図に示されるように、本実施形態では、第１フィールドにおいて２４１、２４２、２４３、…、４８０行目の画素では負極性の書き込みがなされ、１、２、３、…、２４０行目の画素では正極性の書き込みがなされて、次の書き込みまで保持される一方、第２フィールドにおいて１、２、３、…、２４０行目の画素では負極性書き込みがなされ、２４１、２４２、２４３、…、４８０行目の画素では正極性の書き込みがなされて、同様に次の書き込みまで保持される。
【００７１】
スタートパルスＤｙｂがタイミングＴで供給される場合、第１および第２フィールドの期間は、クロック信号Ｃｌｙの２４０周期分であるから、各画素において液晶容量１２０に正極性電圧が保持される期間と負極性電圧が保持される期間とは半分ずつとなる。
【００７２】
ところで、共通電極１０８に印加される電圧ＬＣｃｏｍは、基準電圧Ｖｃと一致させた場合、背景技術の欄で述べたフィールドスルー（初めて出てくる単語です。同義の言葉として使用するならば、背景技術の欄に併記しておいて下さい。）やリーク量の相違によって負極性書込による液晶容量１２０の電圧実効値が、正極性書込に寄る実効値よりも若干大きくなってしまい（ＴＦＴ１１６がｎチャネルの場合）、初期的にフリッカーが生じる。
【００７３】
しかしながら、背景技術の欄で述べたように、この状態で動作を続けた場合、基板間の特性差による正極性・負極性の電流非対称性によって電荷の偏りが起きる。この結果、時間とともにフリッカー量が増大してしまう。
【００７４】
そこで、この初期的なフリッカーや、経時的なフリッカーの変化を抑制するために、これらの値を適切な値に調整する必要がある。初期的なフリッカーを低減するためには、電圧ＬＣｃｏｍを調整し、経時的なフリッカーの変化を抑制するためには、前記第１の期間と前記第２の期間の比率を調整する。これらの調整は、制御回路５２が光センサー７０からの出力信号をデータ解析部７２で解析した結果を元に行う。
【００７５】
そこで次に光センサー７０の動作について説明する。図８は光センサー７０の構成を示すものである。光センサー７０はフォトダイオード７００と電圧増幅回路７０１と抵抗７０２から構成されており、フォトダイオード７００に光が照射されるとその輝度に応じた電流が流れ、これを電圧増幅回路７０１で電圧に変換し出力電圧Ｖｐｄとして出力する。
【００７６】
データ解析部７２は、光センサー７０からの出力電圧Ｖｐｄを解析し、フリッカー量を表示するものである。本実施形態ではデータ解析部７２としてＦＦＴアナライザーを用いる。この構成は図９のようになっている。光センサー７０からの出力電圧Ｖｐｄおよび信号ＶｓｙｎｃはＡＤ変換器７２１に入力され、アナログデータからデジタルデータに変換される。このデジタルデータをＦＦＴ演算部によって演算し、フリッカー量−時間のデータをフリッカー量−周波数のデータに変換し、このうち駆動周波数成分におけるフリッカー量を制御回路５２に送信する。制御回路５２はここから駆動周波数成分におけるフリッカーをモニターし、調整を行う。また、このとき出力電圧Ｖｐｄは信号Ｖｓｙｎｃをトリガーとして取り込まれており、この位相の情報も送信。これにより、信号Ｖｓｙｎｃが入力された後、最初に正極性電圧を保持し、次に負極性電圧を保持する書き込みの場合、位相が０°の場合には負極性電圧保持時のほうが輝度が高く、位相が１８０°の時には正極性電圧保持時のほうが輝度が高いと言うことが分かる。なお、本実施形態ではデータ解析部としてＦＦＴアナライザーを用いているが、これに限定するものではなく、例えばオシロスコープを用いて光センサーの出力波形を直接モニターするなど、輝度センサーの出力電圧からフリッカー量を検出する事ができる方法であればよい。
【００７７】
次に、制御回路５２がデータ解析部７２から送信されたデータを元に共通電極電位ＬＣｃｏｍおよび正極性電圧と負極性電圧の印加時間比を調整する際の動作について説明する。これらの設定値は、制御回路５２の内部メモリーにレジスター値として設定されている。このうち、ＬＣｃｏｍを設定するレジスター値をレジスターＡ、印加時間比を設定するレジスター値をレジスターＢとする。初期的には、レジスターＡ、レジスターＢともにある適当な値が設定されている。
【００７８】
ＬＣｃｏｍを調整する場合、レジスターＡの値を＋１とすると電圧ＬＣｃｏｍの値が＋１ｍＶされ、レジスターＡの値を−１すると電圧ＬＣｃｏｍの値が−１ｍＶされるようになっている。
印加時間比を調整する場合、レジスターＢの設定値が０となっている場合、スタートパルスＤｙｂはタイミングＴで出力され、この結果、前述のように正極性電圧と負極性電圧の印加時間は等しくなる。
【００７９】
次に、レジスターＢの設定値を＋１とすると、図１０に示されるように、制御回路５２において出力されるスタートパルスＤｙｂは、タイミングＴよりもクロック信号Ｃｌｙの１周期分だけ遅いタイミング（Ｔ＋１）で出力されるようになる。この結果、第１フィールドの期間はクロック信号Ｃｌｙの２４１周期分になるのに対し、第２フィールドの期間はクロック信号Ｃｌｙの２３９周期分となる。
【００８０】
このため、図１１に示されるように、スタートパルスＤｙｂの供給を契機とする選択により書き込まれる負極性電圧の保持期間は、スタートパルスＤｙａの供給を契機とする選択により書き込まれる正極性電圧の保持期間よりも短くなる。
逆に、レジスターＢの設定値を−１した場合、図１２に示されるように、制御回路５２において出力されるスタートパルスＤｙｂは、タイミングＴよりもクロック信号Ｃｌｙの１周期分だけ早いタイミング（Ｔ−１）で出力されるようになる。この結果、第１フィールドの期間はクロック信号Ｃｌｙの２３９周期分になるのに対し、第２フィールドの期間はクロック信号Ｃｌｙの２４１周期分となる。
【００８１】
このため、図１３に示されるように、スタートパルスＤｙｂの供給を契機とする選択により書き込まれる負極性電圧の保持期間は、スタートパルスＤｙａの供給を契機とする選択により書き込まれる正極性電圧の保持期間よりも長くなる。
【００８２】
ここで、正極性電圧と負極性電圧の印加時間比をパラメーターとした場合の一定時間経過後のフリッカーの経時変化についての関係を図１４に示す。縦軸は、一定時間経過後のフリッカーが最小となる電圧ＬＣｃｏｍの変化量をあらわし、横軸は印加時間比を表す。印加時間比が０の状態は、正極性電圧と負極性電圧の印加時間が等しい。正の場合には正極性電圧の印加時間が長く、負の場合には負極性電圧の印加時間が長いことを示している。
【００８３】
フリッカーが経時的に変化するという事は、印加時間比とフリッカーが最小となる電圧ＬＣｃｏｍの変化量の関係が図１４中の（１）もしくは（２）のような状態となっていると考えられ、いずれの場合であっても、印加時間比を適当な値とすることによって、フリッカーが最小となる電圧ＬＣｃｏｍの変化がなくなる、つまり経時的なフリッカーの変化を抑制する事が可能である。
そのため、この印加時間比を適当な値に設定するための調整が必要である。
【実施例１】
【００８４】
そこで、この電気光学装置を用いた具体的な調整方法について説明する。
本実施例における電気光学装置の調整方法のフローチャートを図１５に示す。
レジスターＡ、例えば機種ごとなどで初期的なフリッカーがある基準値内に収まるような適当な値のＬＣｃｏｍが設定されており、レジスターＢは正極性電圧と負極性電圧の保持期間の比は等しくなるように設定されている。
【００８５】
まず、フリッカー量を測定し、記録する。一定時間（５〜１５分程度）映像を投影し続ける。その後、データ解析部７２をモニターし、フリッカー量を測定し、前回のフリッカー量との差、つまりフリッカーの変化量を測定する。ここで、もしフリッカーの変化量が規定値以下（±５ｄＢ）であったら調整は終了である。
【００８６】
もしフリッカーの変化量が規定値以上であった場合、ＦＦＴの位相から正極性電圧印加時と負極性電圧印加時のどちらの輝度が増大したかを判定する。負極性電圧印加時の輝度が増大していた場合、前記第１の時間と前記第２の時間の比率の設定値を＋１とし、逆に正極製電圧印加時の輝度が増大していた場合にはレジスターＢの設定値を−１する。ここで、フリッカーの変化量が規定値以上であった場合のレジスター設定値の変化量は１刻みである必要は無い。特に、本実施例のように第１の期間と第２の期間の比率の変化量が前述したように走査線幅に依存している場合、表示パネルの解像度が増大すればするほど、走査線１本分の時間は短くなるため、レジスター設定値を１変えたことによる第１の期間と第２の期間の比率の変化は小さくなってしまうため、表示パネル１０の解像度に応じて変化量を最適な値にしたほうが理想的である。これは、本実施例以外の実施例においても同じである。その後、再び一定時間投影を続け、一定時間経過後にフリッカー量を再び測定し、前回の値と比較してフリッカーの変化量を測定する。ここで、フリッカーの変化量が規定値以内であれば調整を終了し、印加時間比を前回変化させたのと同じ方向にさらに１変化させる。
【００８７】
この手順をフリッカーの変化量が基準値以内に収まるまで繰り返し、フリッカーの変化量が基準値以内に収まった時点でそのときの設定値を保存する。
これによって、初期的なフリッカーを低減しつつ、経時的なフリッカーの変化をも抑制した液晶装置の提供が可能である。
【００８８】
なお、本実施例において液晶駆動時の前記第１の期間と前記第２の期間の比率がどのような値であったとしても、フリッカー量を測定する際に、一旦前期比率をあらかじめ定めた所定の値に設定しなおしてから測定しても良い。これは、図１６に示すように、第１の期間と第２の期間の比率を変化させると、若干ではあるが、共通電極電位ＬＣｃｏｍの設定値に対するフリッカー量が変化してしまうため、測定する際の条件を一定にした方が誤差要因が少なくなり、精度良く調整が可能となるためである。また、この際の比率は正極性：負極性＝１：１となるようにする事が望ましい。これは、以下の実施例についても同じである。
【００８９】
また、本実施例においては液晶を所定の時間駆動した前後のフリッカー量を測定し、このフリッカーの変化量を基に前記第１の期間と前記第２の期間の比率を調整しているが、フリッカーの変化量の変わりに、液晶を所定の時間駆動した前後のフリッカーが最小となる電圧ＬＣｃｏｍの値の変化量を基に前記第１の期間と前記第２の期間の比率を調整してもよい。
【００９０】
この場合にも、フリッカーが最小となる電圧ＬＣｃｏｍの値を測定する際には、一旦前期比率をあらかじめ定めた所定の値に設定しなおしてから測定しても良い。これは、図１６に示されているように、フリッカーが最小となる電圧ＬＣｃｏｍの値も第１の期間と第２の期間の比率によって変化してしまうためである。また、この際の比率は正極性：負極性＝１：１となるようにする事が望ましい。これは、以下の実施例についても同じである。
【実施例２】
【００９１】
本実施例における電気光学装置の調整方法のフローチャートを図１７、１８に示す。
第１の実施例における調整方法では、電圧ＬＣｃｏｍの値は初期的なフリッカーがある規定値以下となるような適当な値を設定した上で印加時間比の調整を行っていた。これに対し、本実施例では、調整開始時に正極性と負極性で液晶層への印加電圧が等しくなるようにした上で調整を行う。
【００９２】
このため、本実施例では、表示パネル１０のフリッカーが最小となるように電圧ＬＣｃｏｍを調整する。このことにより、液晶層に印加される実行電圧が第１の期間と第２の期間で等しくなり、より高精度に印加時間比を決定する事ができる。
【００９３】
制御回路５２は、図１７に示したような手順で調整開始時にデータ解析部７２の値を参照しながらレジスターＡの値を変更し、電圧ＬＣｃｏｍをフリッカーが最小となるように設定する。まず、フリッカー量を測定する。次に、レジスターＡの値を＋１とし、再びフリッカー量を測定し、直前の測定結果と比較する。もし、フリッカー量が増大していた場合には、現在のレジスターＡの値を記憶した上でレジスターＡの値を−１し、フリッカー量が減少していれば、現在のレジスターＡの値を記憶した上でレジスターＡの値を＋１とする。次に再びフリッカー量を測定し、フリッカー量が減少していれば、再びレジスターＡの値を記憶しなおし、先ほど変化させたのと同じ方向に１だけレジスターＡの値を変化させる。仮にレジスター値が増大していた場合には、現在記憶されているレジスターＡの設定値が、フリッカー量が最小となる電圧ＬＣｃｏｍの設定値であると判断し、その値を読み出して設定する。この手順を繰り返す事によって、電圧ＬＣｃｏｍがフリッカー最小の値となる。
【００９４】
正極性電圧と負極性電圧の保持期間の比を等しく設定された状態で、一定時間（５〜１５分程度）映像を投影し続ける。その後、データ解析部７２の測定値から、フリッカーの変化量を測定する。ここで、もし現在のフリッカー量と前回記憶したフリッカー量との差、つまりフリッカーの変化量が規定値以下（±５ｄＢ）であったら調整は終了である。
【００９５】
もしフリッカーの変化量が規定値以上であった場合、ＦＦＴの位相から正極性電圧印加時と負極性電圧印加時のどちらの輝度が増大したかを判定する。負極性電圧印加時の輝度が増大していた場合、レジスターＢの設定値を＋１とし、逆に正極製電圧印加時の輝度が増大していた場合にはレジスターＢの設定値を−１する。その後、再び一定時間投影を続け、一定時間経過後にフリッカーの変化量を再び測定する。ここで、フリッカーの変化量が規定値以内であれば調整を終了し、印加時間比を前回変化させたのと同じ方向にさらに１変化させる。
【００９６】
この手順をフリッカーの変化量が基準値以内に収まるまで繰り返し、フリッカーの変化量が基準値以内に収まった時点でそのときの設定値を保存する。
これによって、初期的なフリッカーを低減しつつ、経時的なフリッカーの変化をも抑制した電気光学装置の提供が可能である。
【００９７】
なお、本実施例においては、液晶層内に印加されている実効電圧の値を正極性と負極性で等しくするために電圧ＬＣｃｏｍをフリッカーが最小となる値に調整しているが、この手段に限定するものではなく、例えば、一旦表示パネル１０の駆動を停止し、生じた内部電界が拡散によって自然に解消されるのを待ってもよい。また、図１４に示した特性を利用すれば、（１）、（２）のいずれの特性を持ったパネルであっても、第１の期間と第２の期間の比率を偏った値に変化する事によって、フリッカーが最小となる電圧ＬＣｃｏｍの値を、任意の方向に変化させる事ができる。これはつまり、第１の期間と第２の期間の比率によって、内部の電荷の偏りをコントロールできるという事でもあり、これによって、初期に設定した電圧ＬＣｃｏｍにおいて、フリッカーが最小となるようにコントロールしても良い。
【００９８】
なお、本実施例においては電圧ＬＣｃｏｍを調整し、その際のレジスターＡの値を保存した後に、レジスターＢの値を変更しているが、図１９に示すように、この順番が逆転してもかまわない。
【実施例３】
【００９９】
本実施例における調整方法のフローチャートを図１８、図２０に示す。本実施例における電気光学装置のブロック図は図１と同様である。
【０１００】
実施例１、実施例２における調整方法においては、調整中は常に、電圧ＬＣｃｏｍの値は初期に設定した値のままである。
しかし、調整中にフリッカーが経時的に変化しているという事は、その分内部で電荷の偏りが起きているということである。そこで、一度経時変化を測定するごとに電荷の偏りをキャンセルした方が、より精度良く印加時間比を調整できる。そこで本実施例においては、経時変化の測定を行うごとに電圧ＬＣｃｏｍを調整し、内部の電荷の偏りによって非対称となった液晶への印加電圧を対称とすることによって、電荷の偏りを打ち消す。
【０１０１】
制御回路５２はまず、図１８のフローチャートに従って電気光学装置で画像を投影した状態でデータ解析部７２のデータを元にレジスターＡを操作し手初期的なフリッカーを低減するように電圧ＬＣｃｏｍを設定する。また、同時にこの時のフリッカー量を内部メモリーに記憶しておく。
【０１０２】
次に、正極性電圧と負極性電圧の保持期間の比を等しく設定された状態で、一定時間（５〜１５分程度）映像を投影し続ける。その後、データ解析部７２のデータから、図１８のフローチャートに従って再び、フリッカーが最小となるように電圧ＬＣｃｏｍを調整する。ここで、現在のレジスターＡの値と前回記録したレジスターＡの値を比較し、値の変化量が規定値以下であったら調整は終了である。
【０１０３】
もしレジスターＡの値の変化が規定値以上であった場合、制御回路５２はレジスターＡの値が前回に比べてプラス側に変化したか−側に変化したかを判定する。ここで、レジスターＡの設定値がプラス側に変化していた場合、レジスターＢの設定値を＋１とし、逆にレジスターＡの設定値がマイナス側に変化していた場合にはレジスターＢの設定値を−１し、保存する。その後、再び一定時間投影を続け、一定時間経過後に図１８に従って電圧ＬＣｃｏｍを調整し、レジスターＡの設定値変化を再び測定する。ここで、レジスターＡの設定値の変化が規定値以内であれば調整を終了し、そうでなければレジスターＡの設定値の変化方向に応じてレジスターＢの値を変化させる。
【０１０４】
その後、現在の電圧ＬＣｃｏｍの設定値を保存する。
この手順をレジスターＡの値の変化量が基準値以内に収まるまで繰り返す。
これによって、初期的なフリッカーを低減しつつ、経時的なフリッカーの変化をも抑制した電気光学装置の提供が可能である。
【０１０５】
また、本実施例においては所定の時間駆動後、フリッカーが最小となるように電圧ＬＣｃｏｍを調整した際のレジスターＡの値を基に調整を行っているが、実施例１と同様に、所定の時間駆動後のフリッカーの変化量を基に調整を行っても良い。
【０１０６】
なお、本実施例においては電圧ＬＣｃｏｍを調整し、その際のレジスターＡの値を保存した後に、レジスターＢの値を変更しているが、この順番が逆転してもかまわない。
【実施例４】
【０１０７】
本実施例における調整方法のフローチャートを図１８、図２１に示す。本実施例における電気光学装置のブロック図は図１と同様である。
【０１０８】
実施例１、実施例２、実施例３における調整方法においては、表示パネル内の電荷の偏りを観察する手段として、所定の時間経過した後のフリッカー量もしくはフリッカーが最小となる電圧ＬＣｃｏｍの変化量を基に調整を行った。しかし、所定の時間経過後のこれらの変化量は、前記第１の時間と前記第２の時間の比率が、電荷の偏りを抑制する方向に向かって行くにつれて小さくなるため、回路の分解能等の制約によっては、十分な調整制度を確保できない場合がある。
【０１０９】
そこで、本実施例においては、表示パネル内の電荷の偏りを観察する手段として、フリッカーの変化量もしくはフリッカーが最小となる電圧ＬＣｃｏｍの変化量がある規定値に達するまでの時間を基に、前記第１の期間と前記第２の期間の比率を調整することを特徴とする。
【０１１０】
また、このときにフリッカーの変化量もしくはフリッカーが最小となる電圧ＬＣｃｏｍの変化量の規定値を、フリッカーが人間に視認されないレベルに設定すれば、常にフリッカーが人間の目に視認されないレベルで変化する事になるため、本発明の液晶装置を実使用している最中に調整を行ったとしても、使用者に視認されないまま、最適値の調整を行うことが可能となる。
【０１１１】
この場合、前記第１の時間と前記第２の時間の比率が、電荷の偏りを抑制する方向に向かえば向かうほど、規定値に達するまでの時間が長くなるため、精度が向上する。
制御回路５２はまず、電気光学装置で画像を投影した状態でデータ解析部７２のデータを元にレジスターＡを操作し手初期的なフリッカーを低減するように電圧ＬＣｃｏｍを設定し、その値を記憶すると同時に、経過時間のカウントを開始する。
【０１１２】
次に、正極性電圧と負極性電圧の保持期間の比を等しく設定された状態で、表示パネルを駆動し続ける。そして、一定時間（１分）経過するたびに、フリッカーが最小となるように電圧ＬＣｃｏｍを調整し、このときのレジスターＡの値と記憶されたレジスターＡの値を比較する。ここで、もしレジスターＡが規定値（±５０）以上に変化していた場合は、経過時間を測定する。経過時間が規定値（６０分）以上であれば調整は終了である。
【０１１３】
もし経過時間が規定値以下であった場合、制御回路５２はレジスターＡの値が前回に比べてプラス側に変化したか−側に変化したかを判定する。ここで、レジスターＡの設定値がプラス側に変化していた場合、レジスターＢの設定値を＋１とし、逆にレジスターＡの設定値がマイナス側に変化していた場合にはレジスターＢの設定値を−１し、保存する。その後、再び一定時間（１分）経過するたびに、フリッカーが最小となるように電圧ＬＣｃｏｍを調整し、このときのレジスターＡの値と記憶されたレジスターＡの値を比較する。ここで、もしレジスターＡが規定値（±５０）以上に変化していた場合は、経過時間を測定する。経過時間が規定値（６０分）以上であれば調整は終了であり、そうでなければ、制御回路５２はレジスターＡの値が前回に比べてプラス側に変化したか−側に変化したかを判定する。ここで、レジスターＡの設定値がプラス側に変化していた場合、レジスターＢの設定値を＋１とし、逆にレジスターＡの設定値がマイナス側に変化していた場合にはレジスターＢの設定値を−１とし、保存する。
この手順を経過時間が規定値以上になるまで繰り返す。
【０１１４】
これによって、初期的なフリッカーを低減しつつ、経時的なフリッカーの変化をも抑制した電気光学装置の提供が可能である。
【０１１５】
なお、本実施例においては、フリッカーが最小となるように電圧ＬＣｃｏｍを調整しているため、この状態で液晶層に印加される実効電圧は前記正極性と前記負極性で対称となっている。そのため、本実施例では測定と液晶層に印加される実効電圧を等しくする工程が一つの工程で完結しているが、液晶層の実効電圧を等しくする手段として、電圧ＬＣｃｏｍを調整する以外の手段を用いる場合には、図１９中のレジスターＢの値を＋１ないしは−１した後の設定値保存の工程のタイミングで行うことが望ましい。
【０１１６】
また、本実施例においては所定の時間駆動後、フリッカーが最小となるように電圧ＬＣｃｏｍを調整した際のレジスターＡの値を基に調整を行っているが、実施例１と同様に、所定の時間駆動後のフリッカーの変化量を基に調整を行っても良い。
【０１１７】
なお、本実施例においてはフリッカーが最小となるように電圧ＬＣｃｏｍを設定した際のレジスターＡの値の変化が規定値に達した際の経過時間を基に調整を行っているが、この代わりにフリッカーの変化量が規定値に達した際の経過時間を基に調整を行っても良い。
【０１１８】
また、本実施例において、レジスターＡの値の変化量を測定する間隔、およびレジスターＡの値の変化量の規定値、経過時間の規定値は一例であり、これに限定するものではない。なお、経過時間の規定値は、表示パネル内の電荷の偏りが飽和するまでの時定数以上の時間を選択することが望ましい。
【０１１９】
なお、本実施例においては電圧ＬＣｃｏｍを調整し、その際のレジスターＡの値を保存した後に、レジスターＢの値を変更しているが、この順番が逆転してもかまわない。
【実施例５】
【０１２０】
本実施例における調整方法のフローチャートを図１８、図２２に示す。本実施例における電気光学装置のブロック図は図１と同様である。
【０１２１】
第１、第２、第３の実施例における調整方法においては、パネル内の電荷の偏りを観測する手段として、所定の時間が経過した後のフリッカーの変化量、もしくはフリッカーが最小となる電圧ＬＣｃｏｍの変化量を測定していた。
しかしながら、パネル内の電荷の偏りの時定数が非常に大きい場合や、電荷の偏りを抑制できる前記第１の期間と前記第２の期間の比率が、初期の設定値から大きく離れている場合、所定の時間経過後には電荷の偏りが非常に大きくなり、大きなフリッカーを生じる場合がある。また、電荷の偏りが非常に大きい場合、所定の時間程度の時間であっても焼きつきの原因になる事も考えられる。
【０１２２】
このような場合、前記第１の期間と前記第２の期間の比率が、ある程度電荷の偏りを抑えられるようになるまでは、大きく電荷の偏りが生じているという情報と、フリッカーが最小となる電圧ＬＣｃｏｍが増大しているのか、減少しているのかということが分かればよい。
【０１２３】
そこで、本実施例においては、ある一定の間隔ごとにフリッカーの変化量もしくはフリッカーが最小となる電圧ＬＣｃｏｍの変化量を測定し、これらが一定値に達するか、所定の時間が経過した事のうちいずれか早いほうを契機に調整を行う。
【０１２４】
制御回路５２はまず、図１８のフローチャートに従って電気光学装置で画像を投影した状態でデータ解析部７２のデータを元にレジスターＡを操作し手初期的なフリッカーを低減するように電圧ＬＣｃｏｍを設定する。また、同時にこの時のフリッカー量を内部メモリーに記憶しておく。
【０１２５】
次に、正極性電圧と負極性電圧の保持期間の比を等しく設定された状態で、液晶を駆動し続ける。その間、一定間隔（１分）ごとに図１８に従って電圧ＬＣｃｏｍを調整し、レジスターＡの値の変化を測定する。このとき、レジスターＡの変化量が規定値よりも小さく、また、駆動開始からの経過時間が所定の時間に満たない場合には、制御回路５２は、レジスターＡの値を現在保存されている値に設定した上で、再度駆動を行う。
【０１２６】
レジスターＡの変化量がある規定値に達した場合にはレジスターＡの値がどちらの方向に変化したかを判定し、プラス側に変化していた場合にはレジスターＢの値を＋１、−側に変化していた場合にはレジスターＢの値を−１する。その上で、現在のレジスターＡの値を保存し、カウントをリセットして駆動を開始する。
【０１２７】
レジスターＡの値の変化量が規定値に達することが無いまま所定の時間が経過した場合、レジスターＡの値の変化量が規定値以下であったら調整は終了である。
もしレジスターＡの値の変化が規定値以上であった場合、制御回路５２はレジスターＡの値が前回に比べてプラス側に変化したか−側に変化したかを判定する。ここで、レジスターＡの設定値がプラス側に変化していた場合、レジスターＢの設定値を＋１し、逆にレジスターＡの設定値がマイナス側に変化していた場合にはレジスターＢの設定値を−１し、保存する。
この手順をレジスターＡの値の変化量が基準値以内に収まるまで繰り返す。
これによって、初期的なフリッカーを低減しつつ、経時的なフリッカーの変化をも抑制した電気光学装置の提供が可能である。
【０１２８】
なお、本実施例においては、フリッカーが最小となるように電圧ＬＣｃｏｍを調整しているため、この状態で液晶層に印加される実効電圧は前記正極性と前記負極性で対称となっている。そのため、本実施例ではフリッカーが最小となる電圧ＬＣｃｏｍを測定し、その値で駆動する事によって液晶層に印加される実効電圧を等しくしているが、液晶層の実効電圧を等しくする手段として、電圧ＬＣｃｏｍを調整する以外の手段を用いる場合には、図１９中のレジスターＢの値を＋１ないしは−１した後の設定値保存の工程のタイミングで行うことが望ましい。
【０１２９】
また、本実施例においては所定の時間駆動後、フリッカーが最小となるように電圧ＬＣｃｏｍを調整した際のレジスターＡの値を基に調整を行っているが、実施例１と同様に、所定の時間駆動後のフリッカーの変化量を基に調整を行っても良い。
なお、本実施例においては電圧ＬＣｃｏｍを調整し、その際のレジスターＡの値を保存した後に、レジスターＢの値を変更しているが、この順番が逆転してもかまわない。
【実施例６】
【０１３０】
本実施例における電気光学装置のブロック図は図１と同様である。本実施例のフローチャートを図１８、図２３に示す。
【０１３１】
第１〜第５における実施例における調整方法では、所定の時間駆動した際のフリッカーの変化量もしくはフリッカーが最小となる電圧ＬＣｃｏｍの変化量が規定値以内に収まるまで、あるいは、フリッカーの変化量もしくはフリッカーが最小となる電圧ＬＣｃｏｍの変化量が規定値以上になるまでの時間が規定値異常となるまで、レジスターＢの値を変化させ、最適なレジスターＢの値を決定する手法であった。このため、非常に高い精度で最適なレジスターＢの値を求める事ができる反面、最適なレジスターＢの値の値によっては調整が終了するまでに非常に長い時間がかかり、また、調整終了までの時間がどの程度かかるかが不明であるので電気光学装置の出荷時検査などに用いるには適さない場合がある。
【０１３２】
そこで、調整回数を固定とし、調整にかかる時間を一定としたのが本実施例である。
本実施例における調整方法では、経時変化の測定回数があらかじめ決められており、同時にそれぞれの回に設定されるレジスターＢの値もあらかじめ決定されている。制御回路５２はまず、電気光学装置で画像を投影した状態でデータ解析部７２のデータをモニターしながら図１８のフローチャートに従って電圧ＬＣｃｏｍを設定する。
【０１３３】
次に、レジスターＢを「０」に設定して一定時間通電し、その後、図１８に従って電圧ＬＣｃｏｍの値を設定し、前回の設定値からの変化量を測定する。次に、レジスターＢの値を「＋１０」に設定し、同様の手順を繰り返す。その後、レジスターＢの値を「−１０」に設定し、同様の手順を繰り返す。
【０１３４】
上記測定が終了したところで、レジスターＢの値とレジスターＡの変化量の相関関係から、レジスターＡの変化量が０になると思われるレジスターＢの値を算出し、これを駆動時の設定値として記憶させる。例えば、このレジスターＢの値とレジスターＡの変化量の相関関係が、図１４に示したように線形になっている場合には、線形補間から設定値を算出可能である。
この調整方法により、フリッカーの経時変化を実施例１〜３よりも短く、かつ決まった時間で調整する事が可能である。
【０１３５】
なお、本実施例においては電圧ＬＣｃｏｍを調整し、その際のレジスターＡの値を保存した後に、レジスターＢの値を変更しているが、この順番が逆転してもかまわない。
また、本実施例は、また、本実施例においては所定の時間駆動後、フリッカーが最小となるように電圧ＬＣｃｏｍを調整した際のレジスターＡの値を基に調整を行っているが、これに限定するものではなく、実施例１と同様に、所定の時間駆動後のフリッカーの変化量を基に調整を行ったり、実施例４と同様に、フリッカーの変化量もしくはフリッカーが最小となる電圧ＬＣｃｏｍの値が規定値に達するまでに要した時間を基に調整を行ったりしても良い。
【実施例７】
【０１３６】
本実施例における電気光学装置のブロック図は図１と同様である。フローチャートを図２４に、調整に必要なルックアップテーブル（ＬＵＴ）の一例を図１８、図２６に示す。
【０１３７】
実施例６よりさらに短い時間で調整を完了する方法として、あらかじめ一定の条件において一定時間通電した場合のフリッカー最小となる電圧ＬＣｃｏｍの変化量と、経時的なフリッカー変化を抑制できるレジスターＢの値の関係をＬＵＴとして作成しておく事により、１回の測定から適切なレジスターＢの値を決定する方法がある。このＬＵＴの概念図を図２４に、具体例を図２６に示す。
【０１３８】
この調整方法においては、制御回路５２はまず、電気光学装置で画像を投影した状態で図１８にしたがって電圧ＬＣｃｏｍを設定する。
次に、レジスターＢを「０」に設定して一定時間通電し、その後、フリッカーが最小となるように電圧ＬＣｃｏｍの値を設定し、保存された値からの変化量を測定する。
【０１３９】
上記測定が終了したところで、レジスターＢの値とレジスターＡの変化量の相関関係を示したＬＵＴを用いて、経時的な電圧ＬＣｃｏｍの変化量が基準値内に収まるようなレジスターＢの値を決定し、これを駆動時の設定値として記憶させる。
この調整方法により、フリッカーの経時変化を実施例４よりもさらに短く、かつ決まった時間で調整する事が可能である。
【０１４０】
また、本実施例は、また、本実施例においては所定の時間駆動後、フリッカーが最小となるように電圧ＬＣｃｏｍを調整した際のレジスターＡの値を基に調整を行っているが、これに限定するものではなく、実施例１と同様に、所定の時間駆動後のフリッカーの変化量を基に調整を行ったり、実施例４と同様に、フリッカーの変化量もしくはフリッカーが最小となる電圧ＬＣｃｏｍの値が規定値に達するまでに要した時間を基に調整を行ったりしても良い。
【実施例８】
【０１４１】
電気光学装置１を内蔵した電子機器について説明する。この電子機器の回路構成を図２７に示す。この図２７は、上述した電気光学装置１及び２の表示パネル１０をライトバルブとして用いた３板式プロジェクターの構成を示す平面図である。
【０１４２】
この電気光学装置２１００において、ライトバルブに入射させるための光は、内部に配置された３枚のミラー２１０６および２枚のダイクロイックミラー２１０８によってＲ（赤）、Ｇ（緑）、Ｂ（青）の３原色に分離されて、各原色に対応するライトバルブ１００Ｒ、１００Ｇおよび１００Ｂにそれぞれ導かれる。なお、Ｂ色の光は、他のＲ色やＧ色と比較すると、光路が長いので、その損失を防ぐために、入射レンズ２１２２、リレーレンズ２１２３および出射レンズ２１２４からなるリレーレンズ系２１２１を介して導かれる。
【０１４３】
ここで、ライトバルブ１００Ｒ、１００Ｇおよび１００Ｂは、外部上位装置（図示省略）から供給されるＲ、Ｇ、Ｂの各色に対応する画像データでそれぞれ駆動されるものである。
ライトバルブ１００Ｒ、１００Ｇ、１００Ｂによってそれぞれ変調された光は、ダイクロイックプリズム２１１２に３方向から入射する。そして、このダイクロイックプリズム２１１２において、Ｒ色およびＢ色の光は９０度に屈折する一方、Ｇ色の光は直進する。したがって、各色の画像が合成された後、レンズユニット１８２０によって正転拡大投影されるので、スクリーン２１２０には、カラー画像が表示されることとなる。
また、光センサー２００Ｒ、２００Ｇ、２００Ｂは、ダイクロイックプリズム２１１２上に配置され、Ｒ、Ｇ、Ｂそれぞれの照度を検出する。
【０１４４】
また、電子機器としては、図２７を参照して説明した他にも、リアプロジェクション型のテレビジョンや、直視型、例えば携帯電話や、パーソナルコンピューター、ビデオカメラのモニター、カーナビゲーション装置、ページャー、電子手帳、電卓、ワードプロセッサー、ワークステーション、テレビ電話、ＰＯＳ端末、ディジタルスチールカメラ、タッチパネルを備えた機器等などが挙げられる。そして、これらの各種の電子機器に対して、本発明に係る電気光学装置が適用可能なのは言うまでもない。
【０１４５】
なお、本実施例１〜７では前記第１の期間と前記第２の期間の比率を変化させる手法として、前記所定の期間を１フレームとして、１フレーム内における正極性・負極性の印加時間を変化させているが、この駆動方法に限定するものではない。例えば、図２８に示すように、前記所定の期間を複数のフレームにまたがる時間として、その期間の中で、正極性または負極性の一方が印加されている第１の期間と、他方が印加されている第２の期間の比率を変化させるといった駆動方法に対して用いた場合であっても同様の効果を得る事が可能である。図２７は、複数のフレームを単位フレームとして、その中で、本来負極性が印加されるはずのタイミングで正極性を印加する事によって、第１の期間と第２の期間の長さを変化させた例である。
【０１４６】
また、測定のための時間や基準値に関しても、一例であり、実際には液晶パネルの特性等によって最適な時間を選択する必要があるものであるため、表記の値に限定するものではない。
また、本実施例においてはフリッカーの変化量に関する指標を、「ある一定時間通電した時のフリッカーの変化量」としているが、これもこの指標に限定するものではなく、例えば、「ある一定量だけフリッカーが変化するのに要した時間」を指標としてもよい。
【符号の説明】
【０１４７】
１…電気光学装置、１０…表示パネル、５０…処理回路、５２…制御回路、５４…表示データ処理回路、５６…Ｄ／Ａ変換回路、７０…光センサー、７２…データ解析部。
【図１】
2011221218.tif 000003
【図２】
2011221218.tif 000004
【図３】
2011221218.tif 000005
【図４】
2011221218.tif 000006
【図５】
2011221218.tif 000007
【図６】
2011221218.tif 000008
【図７】
2011221218.tif 000009
【図８】
2011221218.tif 000010
【図９】
2011221218.tif 000011
【図１０】
2011221218.tif 000012
【図１１】
2011221218.tif 000013
【図１２】
2011221218.tif 000014
【図１３】
2011221218.tif 000015
【図１４】
2011221218.tif 000016
【図１５】
2011221218.tif 000017
【図１６】
2011221218.tif 000018
【図１７】
2011221218.tif 000019
【図１８】
2011221218.tif 000020
【図１９】
2011221218.tif 000021
【図２０】
2011221218.tif 000022
【図２１】
2011221218.tif 000023
【図２２】
2011221218.tif 000024
【図２３】
2011221218.tif 000025
【図２４】
2011221218.tif 000026
【図２５】
2011221218.tif 000027
【図２６】
2011221218.tif 000028
【図２７】
2011221218.tif 000029
【図２８】
2011221218.tif 000030